(57)【要約】【課題】取付板にあける取付孔を小さくすることができ、また、取付板の後面側からの簡単な作業で取付けできるようにしたリフレクタ付き電球を提供する。【解決手段】リフレクタ２を前，後２つの分割片２ａ，２ｂに分割し、かつそれらの正面視外形状をほぼ同形状とし、それらを、基台１の軸部１ｂの軸方向に重ね、その軸部１ｂに各々軸着した。取付板２２の取付孔２１に通すときは２つの分割片２ａ，２ｂの輪郭を揃えた状態とし、挿通後、展開して１つのリフレクタ２を形成するようにした。つまりリフレクタ２を、小さく畳んで取付孔２１を通し、その後に展開して使用するようにして、取付板２２にあける取付孔２１の大きさを従来品よりも小さくした。また、２つの分割片２ａ，２ｂを取付孔２１に通してつまみ部１ｃを回動することにより、その２つの分割片２ａ，２ｂが基台１の軸部１ｂの軸回り方向にほぼ等間隔に位置決めされるようにして、取付作業を簡易化した。【選択図】図３
2008036069.tif 000002
【特許請求の範囲】
【請求項１】
電球と、この電球からの光を前方に反射させるリフレクタとを備えてなるリフレクタ付き電球であって、
前面中央には先端側に前記電球を備えた軸部が突設され、後面には回動用のつまみ部が形成された基台と、
前記軸部の軸方向に重ねられてその軸部に各々軸着され、軸回り方向に適宜間隔をおいて位置決めされることによって前記リフレクタを形成する、正面視外形状がほぼ同形状の複数のリフレクタ分割片と、
これら複数のリフレクタ分割片を、前記軸部を中心とする回動角を同一角度に揃えた状態で前記軸部の先端部から所望の板体に穿設された取付孔に挿通し、前記つまみ部を回動することにより回動させ、かつ前記軸部の軸回り方向に適宜間隔をおいて位置決めさせるリフレクタ分割片回動位置決め構造とを、
具備することを特徴とするリフレクタ付き電球。
【請求項２】
複数のリフレクタ分割片は、正面視外形状がほぼ長方形の前後２つのリフレクタ分割片であり、これら２つのリフレクタ分割片のうち、前リフレクタ分割片は前記軸部に緊締嵌着され、後リフレクタ分割片の前記軸部への軸着はこの後リフレクタ分割片が前記前リフレクタ分割片に形成されたスリーブ状のボス部に嵌着されることによってなされ、
前記リフレクタ分割片回動位置決め構造は、
前記２つのリフレクタ分割片を揃えた状態で前記取付孔に挿通して回動された場合に、回動角が第１の角度に達するまでは、前記前リフレクタ分割片の回動に伴って前記後リフレクタ分割片を回動させる追従回動構造と、
回動角が前記第１の角度に達した場合に前記後リフレクタ分割片のみをその位置で位置決めさせる後リフレクタ分割片位置決め構造と、
前記前リフレクタ分割片が更に回動されて、前記後リフレクタ分割片とでなす前記軸部の軸回り方向の間隔がほぼ等間隔となる第２の角度に達した場合にその前リフレクタ分割片をその位置で位置決めさせる前リフレクタ分割片位置決め構造とを、
備えてなり、
これら追従回動構造、後リフレクタ分割片位置決め構造及び前リフレクタ分割片位置決め構造が、前記２つのリフレクタ分割片に形成された凹状部及び／又は凸状部からなることを特徴とする請求項１に記載のリフレクタ付き電球。
【請求項３】
前記板体は遊技機前面に位置する板体であり、この板体に遊技機前面を装飾する光源として取り付けられることを特徴とする請求項１又は２に記載のリフレクタ付き電球。
【発明の詳細な説明】
【技術分野】
【０００１】
本発明は、例えばパチンコ機前面に設けられる前枠あるいはガラス枠等と称される枠体や、パチンコ機を設置する島の上部の前面板等に取り付けられるリフレクタ付き電球に関するものである。
【背景技術】
【０００２】
従来から、パチンコ機前面に設けられる枠体やパチンコ機を設置する島の上部前面板等には、各種の装飾や表示のための部品が設けられている。
中でも電球は、その点、消灯や点滅によって遊技者の視覚に訴える効果が大きく、興趣を高めたり、必要な表示を行うために好適である。特に、リフレクタ付き電球は、中心に位置する電球の光を電球外周に位置するリフレクタによって前方に反射・拡散させるので、その反射・拡散光による装飾や表示効果が高められ、上記のような用途に最適である。
ところで、従来のこの種のリフレクタ付き電球の取付けは、取付対象である板体（取付板）にリフレクタの大きさ以上の取付孔（開口）を穿設し、その取付孔内周縁にリフレクタの外周縁を沿わせてリフレクタ付き電球を位置決めし、ねじ止め等により行っていた（例えば、特許文献１参照）。
【特許文献１】特開２００５−１２５００８号公報
【発明の開示】
【発明が解決しようとする課題】
【０００３】
上記従来技術では、上述したように、リフレクタ付き電球の取付板にリフレクタの大きさ以上の取付孔が必須であった。
このため、取付板の形状や大きさ、あるいは、取付板面に回路用の導電パターンを形成する場合にその形状や大きさ等に制約が加わり、それらの設計の自由度を制限することになった。のみならず、取付板の強度も低下させることになり、従来、これらの点についての改善が要望されていた。
また取付板へは、その後面側からの簡単な（ドライバ等の取付工具を必要としない）作業で取り付けたいというニーズには応えられなかった。
【０００４】
本発明は、上記のような実情に鑑みなされたもので、板体に穿設する取付孔の大きさを小さくすることができ、また、板体の後面側からの簡単な作業で取付できるようにしたリフレクタ付き電球を提供することを目的とする。
【課題を解決するための手段】
【０００５】
上記目的を達成するために、特許請求の範囲の請求項１に記載の発明は、電球と、この電球からの光を前方に反射させるリフレクタとを備えてなるリフレクタ付き電球であって、前面中央には先端側に前記電球を備えた軸部が突設され、後面には回動用のつまみ部が形成された基台と、前記軸部の軸方向に重ねられてその軸部に各々軸着され、軸回り方向に適宜間隔をおいて位置決めされることによって前記リフレクタを形成する、正面視外形状がほぼ同形状の複数のリフレクタ分割片と、これら複数のリフレクタ分割片を、前記軸部を中心とする回動角を同一角度に揃えた状態で前記軸部の先端部から所望の板体に穿設された取付孔に挿通し、前記つまみ部を回動することにより回動させ、かつ前記軸部の軸回り方向に適宜間隔をおいて位置決めさせるリフレクタ分割片回動位置決め構造とを、具備することを特徴とする。
【０００６】
特許請求の範囲の請求項２に記載の発明は、請求項１に記載の発明において、複数のリフレクタ分割片は、正面視外形状がほぼ長方形の前後２つのリフレクタ分割片であり、これら２つのリフレクタ分割片のうち、前リフレクタ分割片は前記軸部に緊締嵌着され、後リフレクタ分割片の前記軸部への軸着はこの後リフレクタ分割片が前記前リフレクタ分割片に形成されたスリーブ状のボス部に嵌着されることによってなされ、前記リフレクタ分割片回動位置決め構造は、前記２つのリフレクタ分割片を揃えた状態で前記取付孔に挿通して回動された場合に、回動角が第１の角度に達するまでは、前記前リフレクタ分割片の回動に伴って前記後リフレクタ分割片を回動させる追従回動構造と、回動角が前記第１の角度に達した場合に前記後リフレクタ分割片のみをその位置で位置決めさせる後リフレクタ分割片位置決め構造と、前記前リフレクタ分割片が更に回動されて、前記後リフレクタ分割片とでなす前記軸部の軸回り方向の間隔がほぼ等間隔となる第２の角度に達した場合にその前リフレクタ分割片をその位置で位置決めさせる前リフレクタ分割片位置決め構造とを、備えてなり、これら追従回動構造、後リフレクタ分割片位置決め構造及び前リフレクタ分割片位置決め構造が、前記２つのリフレクタ分割片に形成された凹状部及び／又は凸状部からなることを特徴とする。
【０００７】
特許請求の範囲の請求項３に記載の発明は、請求項１又は２に記載の発明において、前記板体は遊技機前面に位置する板体であり、この板体に遊技機前面を装飾する光源として取り付けられることを特徴とする。
【発明の効果】
【０００８】
特許請求の範囲の請求項１に記載の発明によれば、リフレクタを複数に分割し、それらの正面視外形状をほぼ同形状として基台軸部の軸方向に重ねてその軸部に各々軸着し、取付孔に挿通するときは各リフレクタ分割片の回動角を同一角度に揃え（輪郭を揃えた状態とし）、最終的に展開して１つのリフレクタを形成するようにしたので、板体に穿設する取付孔の大きさを、少なくともリフレクタ（展開後のリフレクタ）の大きさよりも小さくすることができる。
したがって、板体の形状や大きさ、あるいは、板体面に回路用の導電パターンを形成する場合にその形状や大きさ等に加わる制約が緩和され、設計の自由度が高められ、また、板体の強度低下も抑えることができる。
また、特許請求の範囲の請求項１に記載の発明では、リフレクタ分割片回動位置決め構造を備えた。すなわち、複数のリフレクタ分割片を、その輪郭を揃えた状態で取付孔に挿通してつまみ部を回動すれば、複数のリフレクタ分割片が回動し、かつそれらが基台軸部の軸回り方向に適宜間隔をおいて位置決めされるように構成した。これによれば、展開されて１つのリフレクタとされる、リフレクタ付き電球を、板体の後面側からの簡単な作業で、つまりドライバ等の取付工具を用いることなく簡単に取付板（取付孔）に取り付けることができる。
【０００９】
請求項２に記載の発明では、１つのリフレクタを形成する、正面視外形状がほぼ長方形（かつ同形状）の前後２つのリフレクタ分割片のうち、前リフレクタ分割片を基台軸部に緊締嵌着し、後リフレクタ分割片の基台軸部への軸着を、この後リフレクタ分割片を前リフレクタ分割片に形成されたスリーブ状のボス部に嵌着することにより行った。そして、リフレクタ分割片回動位置決め構造を構成する追従回動構造、後リフレクタ分割片位置決め構造、及び前リフレクタ分割片位置決め構造を、上記２つのリフレクタ分割片に形成された凹状部及び／又は凸状部によって構成したので、部品数が少なく、かつ簡単な構成で、特に合成樹脂成形により簡単に、請求項１のリフレクタ付き電球を製造できる。
【００１０】
請求項３に記載の発明によれば、板体に穿設する取付孔の大きさを小さくすることができ、また、板体の後面側からの簡単な作業で取付できるようにした、遊技機前面装飾用のリフレクタ付き電球を提供することができる。
【発明を実施するための最良の形態】
【００１１】
以下、本発明の実施の形態を図面に基づき説明する。なお、各図間において、同一符号は同一又は相当部分を示す。
図１〜図３は、各々本発明によるリフレクタ付き電球の一実施形態を示す図であって、図１は取付板への取付開始時、図２は同じく取付途中、図３は同じく取付完了時の各状態を示す。
各図において、（ａ）は正面図、（ｂ）は右側断面図（図１）又は右側面図（図２及び図３）、（ｃ）は平面図、（ｄ）は正面側からの斜視図である。各図（ａ）中の符号２１はリフレクタ付き電球１１の取付孔であり、各図（ｂ）中の符号２２を付して示す取付板に穿設されている。
【００１２】
各図に示すように、リフレクタ付き電球１１は、基台１と、複数のリフレクタ分割片、ここでは前後２つのリフレクタ分割片２ａ，２ｂと、リフレクタ分割片回動位置決め構造（以下、位置決め構造と略記する。）３を備えてなる。
この場合、基台１は、前後方向の中間部１ａが上記取付孔２１の少なくとも幅方向（各図（ａ）中、左右方向）の寸法以上の直径を有する円板状に形成される。中間部１ａが取付孔２１をすり抜ける、つまり基台１が取付孔２１から抜け落ちることのないようにするためである。
この中間部１ａの前面中央には軸部１ｂが、同後面にはつまみ部１ｃが各々突設されている。軸部１ｂの先端側、ここでは先端部、には、各種豆球等の小形のフィラメント電球やＬＥＤ等の光源（便宜上、これらの光源を電球と総称する。）１ｄが取り付け
られている。この基台１は、つまみ部１ｃを摘んで後述するように軸回り方向に回動可能である。
上記電球１ｄの一対のリード線（図示せず）は、例えば、軸部１ｂ内を通って中間部１ａの前面部分に露出する一対の電極パターン（図示せず）に接続される。そして、本リフレクタ付き電球１１が後述するように取り付けられた際には、取付板２２の後面（各図（ｂ）中の右側面）に形成された回路用の一対の導電パターン（図示せず）に圧接し導通するように構成されている。
【００１３】
また、前リフレクタ分割片（以下、前分割片と略記する。）２ａ及び後リフレクタ分割片（以下、後分割片と略記する。）２ｂは、上記軸部１ｂの軸方向に重ねられた状態でその軸部１ｂに各々軸着されている。この場合、前分割片２ａは、軸部１ｂに緊締嵌着されることにより軸着され、かつ軸部１ｂ先端側に僅かな径大部（図示せず）を形成する等によってその軸部１ｂの少なくとも先端側（抜落ち側）への自由移動が困難とされた状態で軸着されている。また後分割片２ｂは、前分割片２ａに形成されたスリーブ状のボス部２ｃに嵌着されて、つまりボス部２ｃを介して軸部１ｂに軸着されている。
【００１４】
前，後分割片２ａ，２ｂは、各々その長さ方向の中間部、ここでは中央部において軸部１ｂに軸回り方向回動自在に上記のように軸着、支持され、軸部１ｂを中心に等間隔に回動、位置決めされることによって、電球１ｄの光を前方に反射させる１つのリフレクタ２を形成する。図示例では、電球１ｄの外周を凹面状に囲むように展開して同電球１ｄの光を前方に反射させる１つのリフレクタ２を形成する。
【００１５】
この前，後分割片２ａ，２ｂは、正面視外形状がほぼ同形状（大きさを含む。）に形成されている。これは、後方に向かう電球１ｄからの光を前方、上下左右方向にほぼ均等に反射させるリフレクタ２を形成する場合に、最小の大きさの取付孔２１を実現するためである。図示例においては、上記正面視外形状はほぼ長方形に形成されている。反射面（前面）の側面視形状は、前，後分割片２ａ，２ｂ共にほぼ円弧状とされている。
なお、取付孔２１の大きさは、前，後分割片２ａ，２ｂの正面視外形状よりもやや大きい程度に、つまり、前，後分割片２ａ，２ｂを、軸部１ｂを中心とする回動角を同一角度に揃えた状態（輪郭を揃えた状態）において、軸部１ｂの先端から取付孔２１に挿通可能な最小の大きさに設定されている。
取付板２２の厚さは、図１（ｂ）に示すように、基台１の中間部１ａの前面と、後分割片２ｂの長さ方向両端に各々形成された折返し部の端部（後端面）との間隔とほぼ等しいか、僅かに下回る寸法に設定される。取付板２２に取り付られた基台１、つまりリフレクタ付き電球１１に生じるあそびを最小限にして前後方向のガタツキを抑えるためである。
【００１６】
上記基台１及び前，後分割片２ａ，２ｂは、本実施形態ではいずれも耐熱性、絶縁性及び可撓性を有する材質、例えば合成樹脂からなる。前，後分割片２ａ，２ｂ前面の反射面は、合成樹脂面に光反射層を形成、例えばクロムメッキを施してなる。
耐熱性を有する材質を選択したのは、電球１ｄの発熱に対処するためであり、また、絶縁性を有する材質を選択したのは、電球１ｄのリード線（図示せず）を基台１にモールド等によって配線する場合の短絡防止のためである。更に、可撓性を有する材質を選択したのは、基台１への前，後分割片２ａ，２ｂの組付け及び位置決め構造３の設定上の便宜等からである。
【００１７】
次に、上記位置決め構造３の詳細について述べる。
位置決め構造３は、前，後分割片２ａ，２ｂを、軸部１ｂを中心とする回動角を同一角度に揃えた状態で軸部１ｂの先端から取付孔２１に挿通し、つまみ部１ｃを回動することにより回動させ、軸部１ｂの軸回り方向にほぼ等間隔に位置決めさせる構造である。
この位置決め構造３は、図示例では追従回動構造、後分割片位置決め構造（後リフレクタ分割片位置決め構造）、及び前分割片位置決め構造（前リフレクタ分割片位置決め構造）からなる。
【００１８】
ここで、追従回動構造は、前，後分割片２ａ，２ｂを上記のように揃えた状態で取付孔２１に挿通してつまみ部１ｃを回動、図示例では時計回り（取付板２２の前面側から見れば反時計回り）に回動させた場合（矢印ア参照）、回動角が第１の角度に達するまでは前分割片２ａの回動に伴って後分割片２ｂを追従回動させる構造である。なお上記第１の角度としては、ここではほぼ４５°が設定されている。
この追従回動構造は、例えば、前，後分割片２ａ，２ｂが軸部１ｂの軸方向に重ねられ、前分割片２ａの後面に後分割片２ｂの反射面である前面に密着した状態において、後分割片２ｂの前面に形成された円弧状溝（凹状部）２ｄの端部に、前分割片２ａの後面に形成された、小さく半球状に突き出た凸部（凸状部）２ｅが係合する構造により具現されている。
ここで円弧状溝２ｄは、軸部１ｂを挟んだ対称位置、かつ軸部１ｂを中心とした同心円上の位置に一対形成され、また、凸部２ｅは１つの円弧状溝２ｄについて一対、合計４個突設されている。円弧状溝２ｄの長さと一対の凸部２ｅの間隔はほぼ等しく、１つの円弧状溝２ｄに一対の凸部２ｅが填り込んでいるときに、円弧状溝２ｄの両端にその一対の凸部２ｅが各別に係合するように形成されている。
【００１９】
後分割片位置決め構造は、回動角がほぼ４５°に達した場合に後分割片２ｂのみをその位置で位置決めさせる構造である。
この後分割片位置決め構造は、例えば、後分割片２ｂの後面に形成されたストッパ部（凸状部）２ｆにより具現されている。
すなわちストッパ部２ｆは、前，後分割片２ａ，２ｂを上記のように揃え、取付孔２１に挿通してつまみ部１ｃを時計回りに回動し、前，後分割片２ａ，２ｂを回動させ、回動角がほぼ４５°に達したときに取付孔２１の幅方向の端部に当接し、後分割片２ｂについてはそれ以上回動しないように形成されている。
つまみ部１ｃを４５°以上回動しても、基台１の軸部１ｂに緊締嵌着され、軸部１ｂのそれ以上の回動に伴って回動する前分割片２ａのスリーブ状のボス部２ｃ外周が後分割片２ｂの嵌着部（軸着部）内周に対して摺動するだけで、後分割片２ｂはそれ以上回動しない。
なお前分割片２ａは、この回動角４５°においては何ら位置規制されないので、それ以上、つまり４５°以上の回動が可能である。
【００２０】
前分割片位置決め構造は、前分割片２ａが更に回動されて、後リフレクタ分割片２ｂとでなす軸部１ｂの軸回り方向の間隔がほぼ等間隔となる第２の角度、ここではほぼ１３５°に達した場合にその前分割片２ａをその位置で位置決めさせる構造である。
この後分割片位置決め構造は、例えば、上記追従回動構造をなす凸部２ｅに兼用されたストッパ凸部（凸状部）２ｇと、基台１の軸部１ｂを挟んだストッパ凸部２ｇ相互間の距離を一定値、つまり後分割片２ｂの回動方向における幅寸法を僅かに超える寸法に設定することにより具現されている。
すなわち、基台１のつまみ部１ｃを４５°以上回動すると、上述したように後分割片２ｂはそこで位置決めされる（４５°以上の回動はしない）。しかし前分割片２ａは、基台１の軸部１ｂに緊締嵌着されているので、前分割片２ａ後面の各凸部２ｅ（ストッパ凸部２ｇ）は、後分割片２ｂ前面の円弧状溝２ｄの端部を乗り越えて、つまり同端部による係合が強制的に解除されて、同方向への更なる回動を続ける。
基台１のつまみ部１ｃを４５°の位置から更に９０°回動、つまり最初の位置から１３５°回動すると（矢印イ参照）、その位置は軸部１ｂを挟んだ各一対のストッパ凸部２ｇ（凸部２ｅ）相互で後分割片２ｂをその両側から挟み込んだ位置となる。つまり、各一対のストッパ凸部２ｇが、共に各円弧状溝２ｄの端部を乗り越え終わり、新たに後分割片２ｂの両側端に係合し、後分割片２ｂはその１３５°回動した位置に位置決めされる。
【００２１】
以上により、前，後分割片２ａ，２ｂは、軸部１ｂを中心にほぼ等間隔に位置決めされ、電球１ｄの外周をほぼ凹面状に囲むように展開し、同電球１ｄの光を前方に反射させる１つのリフレクタ２が形成される。
なお、基台１のつまみ部１ｃを上述説明とは逆方向に回動すれば、上述した動きとは逆の動きを経て図１に示した状態に戻ることができ、本リフレクタ付き電球１１を取付板２２（取付孔２１）から取り外すことが可能である。つまり、リフレクタ付き電球１１の再利用や電球１１の点検、交換等が可能となる。
【００２２】
図４〜図７は、上述したリフレクタ付き電球１１の取付板２２への取付けが完了するまでの様子を順を追って分かりやすく示した斜視図である。
これらの図のうち、図４は取付直前の様子を示す。すなわち、リフレクタ付き電球１１は、その前，後分割片２ａ，２ｂが、軸部１ｂを中心とする回動角を同一角度、ここでは０°に（長さ方向を縦に向けて）揃えられた状態とされ、その軸部１ｂの先端から取付板２２の取付孔２１に挿通されようとしている（矢印カ参照）。
図５は取付板２２への取付開始時を示す。すなわち、リフレクタ付き電球１１は、図４に示す状態から矢印カ方向に進められ、軸部１ｂの先端から前，後分割片２ａ，２ｂを経て軸部１ｂ後端部（基部）に至るまで、つまり、基台１の中間部１ａの前面が取付板２２の後面に当接するまで、取付孔２１に通される（図１（ａ），（ｂ）参照）。
【００２３】
図６は、図２と同様に取付板２２への取付途中の状態を示す。すなわち、リフレクタ付き電球１１は、図５に示す状態から、取付板２２の後面側にてつまみ部１ｃ（図４参照）が時計回りに回動されることにより、取付板２２の前面側から見て反時計回りに回動される（矢印キ参照）。回動角がほぼ４５°に達するまでは、上記追従回動構造が機能し、前分割片２ａの回動に伴って後分割片２ｂも追従回動、つまり、前，後分割片２ａ，２ｂが図５に示す揃った状態のまま回動される。回動角がほぼ４５°に達すると、上記後分割片位置決め構造が機能し、後分割片２ｂはその位置で位置決めされ、それ以上回動しない。
【００２４】
図７は、図３と同様に取付板２２への取付完了時を示す。すなわち、リフレクタ付き電球１１は、つまみ部１ｃ（図４参照）が図６に示す状態から時計回りに更に回動されると、取付板２２の前面側から見て反時計回りに更に回動される（矢印ク参照）。前分割片２ａは、軸部１ｂに緊締嵌着されており、回動角がほぼ１３５°に達するまで上記つまみ部１ｃの回動に伴って回動する。回動角がほぼ１３５°に達すると、上記前分割片位置決め構造が機能し、前分割片２ａはその位置で位置決めされる。
このときの前，後分割片２ａ，２ｂの形態を正面から見れば、図３（ａ）に示すようになる。すなわち、前，後分割片２ａ，２ｂは、本図７及び図３（ｂ）〜（ｄ）に示すように、軸部１ｂを中心にほぼ等間隔（回動角）に位置決めされ、電球１ｄの外周をほぼ凹面状に囲むように展開され、同電球１ｄの光を前方に反射させる１つのリフレクタ２を形成する。
【００２５】
この図７に示す取付完了状態のリフレクタ付き電球１１を分解して示せば図８及び図９の通りである。図８は取付板前面側からの分解斜視図、図９は取付板後面側からの分解斜視図である。また、取付完了状態におけるリフレクタ付き電球１１を、取付板２２を省略し背面側から拡大して示せば図９の通りである。これらの図においては、図１〜図７と同一部分に同一符号を付してその説明を省略した。
【００２６】
以上述べた実施形態によれば、リフレクタ２を、正面視外形状をほぼ同じ長方形状とした前，後２つの分割片２ａ，２ｂに分割した。そして、基台１の軸部１ｂ軸方向に重ねてその軸部１ｂに各々軸着し、取付板２２の取付孔２１に挿通するときは２つの分割片２ａ，２ｂの回動角を同一角度に揃え（輪郭を揃えた状態とし）、最終的に展開して１つのリフレクタ２を形成するようにした。すなわちリフレクタ２を、小さく畳んで取付孔２１を通し、その後に展開して使用するようにしたので、取付板２２に穿設する取付孔２１の大きさを、少なくともリフレクタ（展開後のリフレクタ）２の大きさよりも小さくすることができる。したがって、取付板２２自体の形状や大きさ、あるいは、取付板２２に回路用の導電パターンを形成する場合にその形状や大きさ、等に加わる制約が緩和され、設計の自由度を高めることができる。また、取付板２２の強度低下も抑えることができる。
【００２７】
また上述実施形態では、前，後２つの分割片２ａ，２ｂを、その輪郭を揃えた状態で取付孔２１に挿通してつまみ部１ｃを回動すれば、その２つの分割片２ａ，２ｂが回動し、かつ、それらが基台１の軸部１ｂの軸回り方向にほぼ等間隔（回動角）に位置決めされるように位置決め構造３を備えて構成した。したがって、展開されて１つのリフレクタ２とされる、リフレクタ付き電球１１の取付板２２への取付けを、取付板２２の後面側からの簡単な作業で、つまりドライバ等の取付工具を用いることなく簡単に行うことができる。
【００２８】
しかも上述実施形態では、１つのリフレクタ２を形成する、正面視外形状がほぼ長方形（かつ同形状）の前後２つの分割片２ａ，２ｂのうち、前分割片２ａを基台１の軸部１ｂに緊締嵌着し、後分割片２ｂの基台１の軸部１ｂへの軸着を、この後分割片２ｂを前分割片２ａに形成されたスリーブ状のボス部２ｃに嵌着することにより行った。そして、上記位置決め構造３を、追従回動構造、後分割片位置決め構造、及び前分割片位置決め構造により構成し、これらを、２つの分割片２ａ，２ｂに形成された凹状部及び／又は凸状部（円弧状溝２ｄ、凸部２ｅ、ストッパ部２ｆ、凸部２ｅに兼用されたストッパ凸部２ｇ等）によって構成するようにしたので、部品数が少なく、かつ簡単な構成で、特に合成樹脂成形により簡単に、位置決め構造３を実現できる。
【００２９】
なお上述実施形態では、つまみ部を時計回りに回動することによって、前，後分割片が展開され、１つのリフレクタを形成するように構成したが、これを逆方向、つまり、つまみ部を反時計回りに回動することによって、前，後分割片が展開され、１つのリフレクタを形成するように構成してもよい。
本リフレクタ付き電球が取り付けられる板体としては、遊技機前面に位置する板体、例えばパチンコ機において遊技盤の遊技領域を覆うガラス板が装着された前枠の前面に位置する板体が適例である。本リフレクタ付き電球は、このような板体にパチンコ機前面を装飾する光源として取り付けられることにより、パチンコ機前面の装飾光源として上述した効果を発揮し得る。
【図面の簡単な説明】
【００３０】
【図１】本発明によるリフレクタ付き電球の実施形態を示す図（その１）である。
【図２】同じく実施形態を示す図（その２）である。
【図３】同じく実施形態を示す図（その３）である。
【図４】同上実施形態の取付完了までの様子を示した斜視図（その１）である。
【図５】同じく取付完了までの様子を示した斜視図（その２）である。
【図６】同じく取付完了までの様子を示した斜視図（その３）である。
【図７】同じく取付完了までの様子を示した斜視図（その４）である。
【図８】図７に示すリフレクタ付き電球を分解して示した図（その１）である。
【図９】同じくリフレクタ付き電球を分解して示した図（その２）である。
【図１０】図７に示すリフレクタ付き電球を、取付板を省略し背面側から拡大して示す斜視図である。
【符号の説明】
【００３１】
１：基台、１ａ：中間部、１ｂ：軸部、１ｃ：つまみ部、１ｄ：電球、２：リフレクタ、２ａ，２ｂ：前，後リフレクタ分割片、３：リフレクタ分割片回動位置決め構造。
【図１】
2008036069.tif 000003
【図２】
2008036069.tif 000004
【図３】
2008036069.tif 000005
【図４】
2008036069.tif 000006
【図５】
2008036069.tif 000007
【図６】
2008036069.tif 000008
【図７】
2008036069.tif 000009
【図８】
2008036069.tif 000010
【図９】
2008036069.tif 000011
【図１０】
2008036069.tif 000012